(57)【要約】【課題】  ヘアーブラシに付着している髪の毛、綿くず、フケ等を早く簡単に除去するための、電気掃除機に接続する吸引ノズルを提供する。【解決手段】  電気掃除機の吸引管に接続する吸引ノズルにおいて、略小判型をした吸引口周縁３に、櫛歯状でありブラシピン４とブラシピン４の間に間隔があり、硬い弾力のある複数のブラシピン４を設け、残りの吸引口周縁３には硬めのブラシ毛５ａを植設する。【選択図】    図１
2009039257.tif 000002
【特許請求の範囲】
【請求項１】
電気掃除機の吸引管に接続する吸引ノズルにおいて、略小判型をした吸引口周縁に、櫛歯状でありブラシピンとブラシピンの間に間隔があり、硬い弾力のある複数のブラシピンを設け、残りの吸引口周縁にはブラシ毛を植設したことを特徴とする電気掃除機用吸引ノズル。
【請求項２】
前記吸引ノズルの櫛歯状のブラシピンとブラシピンの間に、ブラシピンの長さより短いブラシ毛を植設したことを特徴とする請求項１に記載の電気掃除機用吸引ノズル。  
【請求項３】
吸引口周縁全体にブラシ毛を植設し、吸引口において、吸引口の長手方向に架け渡された支持部に請求項１に記載のブラシピンを設けたことを特徴とする電気掃除機用吸引ノズル。
【請求項４】
前記櫛歯状のブラシピンを別体に形成し、該櫛歯状のブラシピンを吸引口周縁、そして吸引口の長手方向に架け渡された支持部に着脱自在としたことを特徴とする 請求項１ 、請求項２ 、請求項３に記載の電気掃除機用吸引ノズル。  
【発明の詳細な説明】
【技術分野】
【０００１】
本発明は、ヘアーブラシに付着している髪の毛、綿くず、フケ等を除去するための、電気掃除機の吸引管に接続して使用する電気掃除機用吸引ノズルである。
【背景技術】
【０００２】
従来は、ヘアーブラシに付着した髪の毛、綿くず、フケ等を取り除くには、細い棒状のものを使用して手指で取り除いたり、ヘアーブラシのブラシ毛の根元に網状の布又は紙をかぶせて 、それらを髪の毛、綿くず、フケ等といっしょに取り去ったり、ヘアーブラシの柄を硬い物体に当ててたたいたりして、髪の毛、綿くず、フケ等を取り除いていた。又、使用目的は服装や犬猫等のペットのホコリや汚れ脱毛などを取り去るための電気掃除機の吸引ノズルがあった。（特許文献１参照）
【０００３】
【特許文献１】特開平１０−９４４３０号
【発明の開示】
【発明が解決しようとする課題】
【０００４】
そのために、次のような問題点があった。ヘアーブラシのブラシ毛が邪魔をして髪の毛、綿くず、フケ等が取りずらくめんどうであって、ブラシ毛に付着した髪の毛、綿くず、フケ等は簡単にきれいには除去できなかった。
【課題を解決するための手段】
【０００５】
本発明の第１のものは、電気掃除機の吸引管に接続する吸引ノズルにおいて、略小判型をした吸引口周縁に、櫛歯状でありブラシピンとブラシピンの間に間隔があり、硬い弾力のある複数のブラシピンを設け、残りの吸引口周縁には硬めのブラシ毛を植設する。
【０００６】
本発明の第２のものは、前記吸引ノズルの櫛歯状のブラシピンとブラシピンの間に、ブラシピンの長さより短いブラシ毛を植設する。
【０００７】
本発明の第３のものは、吸引口周縁全体に硬めのブラシ毛を植設し、吸引口において、吸引口の長手方向に架け渡された支持部に、本発明の第１に記載のブラシピンを設ける。
【０００８】
本発明の第４のものは、前記櫛歯状のブラシピンを別体に形成し、該櫛歯状のブラシピンを吸引口周縁、そして吸引口の長手方向に架け渡された支持部に着脱自在とした第１、第２、第３発明の電気掃除機用吸引ノズルである。
【発明の効果】
【０００９】
ヘアーブラシに付着している髪の毛、綿くず、フケ等を吸引ノズルの櫛歯状のブラシピンの部分で掻き出し、電気掃除機の吸引力を利用して、それら髪の毛、綿くず、フケ等を除去する。その後に吸引ノズルのブラシ毛部分でもって、ヘアーブラシの基台やブラシ毛に付着している油脂を含んだ残りの綿くず等を取り去ることで、ヘアーブラシ全体を短時間で容易にきれいにすることができる。
【発明を実施するための最良の形態】
【００１０】
以下、本発明の第１の実施例について、図１、図２、図３を参照にして説明する。 電気掃除機の吸引管に接続する吸引ノズル本体１において、略小判型の形をした吸引口周縁３の片側直線部分に櫛歯状でブラシピン４とブラシピン４の間に間隔があり、硬い弾力のある樹脂又は金属より成る複数のブラシピン４を設ける。該ブラシピン４の形状は細長い略円錐形である。
ブラシピン４とブラシピン４の間隔は一般に使用されているヘアーブラシのブラシ毛とブラシ毛の間隔と同じぐらいか少し短めであって、２．５ｍｍから４．０ｍｍぐらいの間隔である。ブラシピン４とブラシピン４の間に間隔があるので、そこを吸引の空気が流れて髪の毛、綿くず等がブラシピン４に絡みにくい。ブラシピン４の長さは一般に使用されているヘアーブラシの基台からブラシ毛の先端までの長さより少し長くて２０．０ｍｍから２２．０ｍｍぐらいの長さである。
【００１１】
吸引口周縁３の残りの部分には樹脂より成る硬めのブラシ毛５ａを植設する。ブラシ毛５ａの根元から先端までの長さは前記ブラシピン４の長さと同じである。そして吸引ノズル本体１において、電気掃除機の吸引管に接続する接続部１１と吸引口２との間に嵌合口６を設ける。    
【００１２】
本発明の第２の実施例について、図４を参照にして説明する。
第１の実施例の吸引ノズルにおいて、前記ブラシピン４の長さより短くて、前記ブラシ毛５ａと同じ材質より成るブラシ毛５ｂをブラシピン４とブラシピン４の間に植設する。
【００１３】
本発明の第３の実施例について、 図５、図６、図７を参照にして説明する 。
吸引口周縁３全体に樹脂より成る硬めのブラシ毛５ａを植設する。吸引口２において、吸引口２の長手方向Ｌであって吸引口周縁３の直線部分に平行に、そして吸引口２の短手方向Ｓの中央に支持部７を架け渡しする。該支持部７にブラシピン４とブラシピン４の間に間隔があり、硬い弾力のある樹脂又は金属より成る複数のブラシピン４を設ける。ブラシピン４の長さは吸引口周縁３全体に植設さたブラシ毛５ａの長さと同じか、あるいは少し長くてもよい。
吸引口２の長手方向Ｌで吸引口周縁３の直線部分に平行に、そして吸引口２の短手方向Ｓの中央に架け渡された支持部７は、吸引口２の短手方向Ｓの中央でなくて、吸引口周縁３のどちらか一方の直線部分に近い位置に設けてもよい。
【００１４】
本発明の第４の実施例について、 図８、図９を参照にして説明する 。
櫛歯状ブラシピン列８において、ブラシピン４と反対側に凸部９を設け、図９に示すように第１実施例において櫛歯状のブラシピン４を設けた吸引口周縁３の直線部分を切り欠き、櫛歯状ブラシピン列８の入る部分と前記凸部９を嵌め込む凹部１０ａを設ける。こうして櫛歯状ブラシピン列８を着脱自在にする。
【００１５】
本発明の第５の実施例について、 図８、図１０を参照にして説明する 。
図１０に示すように、第３実施例における支持部７の一部を切り欠き、櫛歯状ブラシピン列８の入る部分と前記凸部９を嵌め込む凹部１０ｂを設ける。こうして櫛歯状ブラシピン列８を着脱自在にする。ブラシピン４が磨耗又は損傷した場合に櫛歯状ブラシピン列８を交換することで、元の製品と同じ性能に戻るのである。
【００１６】
ブラシピン４の間隔について、ブラシピン４とブラシピン４の間隔が狭い場合には、本発明の吸引ノズルでヘアーブラシを掃除するとヘアーブラシのブラシ毛が邪魔になり、本発明のブラシピン４がヘアーブラシのブラシ毛の間を通りぬけられないので掃除がやりずらい。逆にブラシピン４とブラシピン４の間隔が広過ぎる場合は、ヘアーブラシに付着している髪の毛、綿くず等が取りずらくなる。よってブラシピン４とブラシピン４の間隔は一般に使用されているヘアーブラシのブラシ毛とブラシ毛の間隔と同じぐらいか少し短めであって、２．５ｍｍから４．０ｍｍぐらいの間隔である。
【００１７】
本発明のブラシピン４の形状は細長い略円錐形をしているが、図１１に示すようにブラシピンの根元部が吸引口２における短手方向Ｓに長い長方形をした細長い略四角錐の形をしたものであってもよい。該略四角錐の形をしたブラシピンは吸引口の短手方向Ｓの力に対して強度を増すことができる。
【００１８】
本発明の第１実施例、第２実施例、第４実施例のように、櫛歯状のブラシピン４が吸引口周縁３の直線部分に位置する場合のブラシピン４の形状については、図１２に示すようにブラシピンの先端が吸引口２の内側に、短手方向Ｓに少し屈曲していてもよい。そうすることによって、ヘアーブラシを掃除する場合に髪の毛、綿くず等がブラシピンの先端に引っかかり易くなり、掃除がやり易くなる。
【００１９】
本発明の第１実施例、第２実施例、第４実施例においては、電気掃除機の吸引管に接続する接続部１１と吸引口２との間に嵌合口６を設けてあるが、第３実施例、第５実施例については吸引口２において、支持部７にある櫛歯状ブラシピン列８が吸引口２の短手方向Ｓの中央に位置する場合のみ、前記嵌合口６は設けない。この場合は吸引口２において櫛歯状ブラシピン列８を中心として左右が対称になるため、吸引ノズル本体１を右手で持ってヘアーブラシを掃除しても、左手で持って掃除しても同じように掃除できるからである。
【００２０】
犬猫等のペット用ブラシには非常に多くの脱毛が付着する。ブラシ毛５ａには脱毛がブラシピン４より絡み易いので、本発明の第１、第２、第４において、ブラシ毛５ａ、ブラシ毛５ｂは植設しなくてブラシピン４を吸引口周縁３全体に設けてもよい。
【００２１】
本発明の第１実施例を使用する場合は、 電気掃除機の吸引管に接続部１１を接続し、図
１３に示すように櫛歯状のブラシピン４をヘアーブラシのブラシ毛の根元から先端へと移動して髪の毛、綿くず、フケ等を掻き出し 電気掃除機で吸引する。この操作でほとんどの髪の毛、綿くず、フケ等が除去できるが、さらにヘアーブラシの基台、ブラシ毛に付着している油脂を含んだ綿くず等を除去するために、ブラシ毛５ａ部分で同じようにして、吸引ノズルのブラシ毛５ａの先をヘアーブラシのブラシ毛の根元から先端に向かって、残っている油脂を含んで付着している綿くず等を掻き出し電気掃除機で吸引する。
【００２２】
ブラシピン４とブラシピン４の間に間隔があるので電気掃除機で吸引したときに、そこから空気が流入して髪の毛、綿くず等がブラシピン４に絡みにくい。たとえヘアーブラシを掃除した後に、ブラシピン４、ブラシ毛５ａ、ブラシ毛５ｂに髪の毛、綿くず等が絡んでいる場合は、電気掃除機の吸引スイッチを入れてブラシピン４、ブラシ毛５ａ、ブラシ毛５ｂに残った髪の毛、綿くず等を指先で摘んで電気掃除機に吸引すればきれいになる。
本発明の吸引ノズルはヘアーブラシの掃除だけに限らず、犬猫等のペット用ブラシの掃除にも使用できる。
【図面の簡単な説明】
【００２３】
【図１】第１実施例の斜視図
【図２】第１実施例の正面図
【図３】第１実施例の平面図
【図４】第２実施例の斜視図
【図５】第３実施例の斜視図
【図６】第３実施例の平面図
【図７】図６におけるＡ−Ａ線の断面図
【図８】櫛歯状ブラシピン列の斜視図
【図９】第４実施例の櫛歯状ブラシピン列を除いた斜視図
【図１０】第５実施例の櫛歯状ブラシピン列を除いた中央断面図
【図１１】本発明の他のブラシピンの形状を示す斜視図
【図１２】本発明のさらに他のブラシピンの形状を示す斜視図
【図１３】本発明の第１実施例の吸引ノズルの使用状態図
【符号の説明】
【００２４】
１      吸引ノズル本体
２      吸引口
３      吸引口周縁
４      ブラシピン
５ａ    ブラシ毛
５ｂ    ブラシ毛
６      嵌合口
７      支持部
８      櫛歯状ブラシピン列
９      凸部
１０ａ    凹部
１０ｂ    凹部
１１      接続部
【図１】
2009039257.tif 000003
【図２】
2009039257.tif 000004
【図３】
2009039257.tif 000005
【図４】
2009039257.tif 000006
【図５】
2009039257.tif 000007
【図６】
2009039257.tif 000008
【図７】
2009039257.tif 000009
【図８】
2009039257.tif 000010
【図９】
2009039257.tif 000011
【図１０】
2009039257.tif 000012
【図１１】
2009039257.tif 000013
【図１２】
2009039257.tif 000014
【図１３】
2009039257.tif 000015